(57)【要約】【課題】鍵盤装置のハンマーアクション機構において、バックチェックによる咬持の際に、ハンマーのテール部に割れや欠けなどの破損を生じにくくする。【解決手段】ハンマーシャンク３２の回動軸Ａとは反対側の先端部に、基部３３２を取り付ける。基部３３２は、打弦方向とは反対側に延在するとともに、打弦後にバックチェックによって咬持されるテール部３３２ｂを含む。一方、ヘッド部３３１は、基部３３２とは別体であり、打弦方向に向かう軸に沿って基部３３２にダボ３３３を介して挿嵌される。【選択図】図２
2010008467.tif 000002
【特許請求の範囲】
【請求項１】
鍵の押下につれてハンマーシャンクが基端部の軸を中心に回動するとともに、前記ハンマーシャンクの基端部の反対側端部に設けられたヘッド部が被打撃体を打撃するハンマーアクション機構であって、
前記ハンマーシャンクの反対側端部に取り付けられる基部を有し、
前記基部は、前記被打撃体への打撃側とは反対側に延在するとともに、打撃後に押鍵状態にあるバックチェックによって咬持されるテール部を含み、
前記ヘッド部は、前記被打撃体への打撃方向に向かう軸に沿って前記基部に挿嵌される
ことを特徴とする鍵盤装置のハンマーアクション機構。
【請求項２】
前記ヘッド部は、前記被打撃体への打撃方向に向かう軸に沿って回動可能な状態で前記基部に挿嵌される
ことを特徴とする請求項１に記載の鍵盤装置のハンマーアクション機構。
【請求項３】
前記ヘッド部および前記基部の対向面に形成された孔に、それぞれダボの一端および他端を挿嵌した
ことを特徴とする請求項１または２に記載の鍵盤装置のハンマーアクション機構。
【発明の詳細な説明】
【技術分野】
【０００１】
本発明は、鍵盤装置において、打撃後におけるハンマーのテール部の割れや欠けといった破損を防止する技術に関する。
【背景技術】
【０００２】
ピアノのような鍵盤装置のハンマーアクション機構では、演奏者が鍵を押下すると、ハンマーシャンクが回動して当該ハンマーシャンクの一端に設けられたハンマーヘッドが弦などの被打撃体を打撃する構成となっている。なお、このようなハンマーの構成については、例えば下記特許文献１にも記載されている。
【特許文献１】特開２００１−２２２２８２号公報（特に図２、図３参照）
【発明の開示】
【発明が解決しようとする課題】
【０００３】
ここで、グランドピアノを上面からみると、被打撃体である弦は、ハンマーシャンクの長軸、換言すれば鍵の延設方向に対して傾いて張設される。このため、ハンマーのヘッド部は、弦の張設方向に合致するように設けられるが、そのままでは、ハンマーのテール部がバックチェックの咬持面に対して傾くので、テール部は、バックチェックの咬持面とほぼ平行となるように形状加工される。
しかしながら、このように形状加工したテール部では、左右で肉厚が異なってしまうので、バックチェックによって咬持の際の衝撃によって割れや欠けなどの破損が生じやすい、という欠点があった。
本発明は、このような事情に鑑みてなされたもので、その目的の１つは、バックチェックの咬持による衝撃によって割れや欠けなどの破損が生じにくい鍵盤装置のハンマーアクション機構を提供することにある。
【課題を解決するための手段】
【０００４】
上記目的を達成するために、本発明は、鍵の押下につれてハンマーシャンクが基端部の軸を中心に回動するとともに、前記ハンマーシャンクの基端部の反対側端部に設けられたヘッド部が被打撃体を打撃するハンマーアクション機構であって、前記ハンマーシャンクの反対側端部に取り付けられる基部を有し、前記基部は、前記被打撃体への打撃側とは反対側に延在するとともに、打撃後に押鍵状態にあるバックチェックによって咬持されるテール部を含み、前記ヘッド部は、前記被打撃体への打撃方向に向かう軸に沿って前記基部に挿嵌されることを特徴とする。本発明によれば、ヘッド部は、ハンマーシャンクの反対側端部に取り付けられた基部に対して、被打撃体への打撃方向に向かう軸に沿って挿嵌されるので、ハンマーシャンクの長軸に対して角度を持たせることができる。このとき、テール部は、ヘッド部の取付角度とは関係なく、シャンクの長軸に合致させることができるので、左右の肉厚を均一とすることが可能である。
【０００５】
本発明において、前記ヘッド部は、前記被打撃体への打撃方向に向かう軸に沿って回動可能な状態で前記基部に挿嵌される構成としても良い。この構成によれば、ヘッド部が被打撃体に適切な角度で打撃するような調整が容易となる。さらに、この構成において、前記ヘッド部および前記基部の対向面に形成された孔に、それぞれダボの一端および他端を挿嵌しても良い。
【発明を実施するための最良の形態】
【０００６】
以下、図面を参照しながら、本発明に係る実施形態について説明する。
図１は、実施形態に係るハンマーアクション機構を含む鍵盤装置の構成を示す要部断面図である。なお、図１は、グランドピアノを演奏位置からみたときを正面図としたときの左側面図である。したがって、図１において右側が演奏者からみて手前側となり、図において左側が奥側となる。
図１において、鍵１は、筬中３に対しバランスピン５により揺動自在に支持されるとともに、右側に位置する演奏者によって押下される。なお、鍵１は、紙面の表裏方向にわたって８８個並設されて、これにより鍵盤装置が構成されている。
【０００７】
鍵１の上方には、弦Ｓが図において水平方向に張られている。この弦Ｓと鍵１との間に、鍵１の押下によって弦を打撃するハンマーアクション機構２０が設けられている。そこで以下、このハンマーアクション機構２０について説明する。
【０００８】
サポートレール２１およびシャンクレール２２は、紙面の表裏方向にわたって、すなわち、８８鍵の配列方向にわたって延在するように設けられた固定部材である。このうち、サポートレール２１の端部には、鍵１の延設方向に沿って配設された長手形状のウイペン２３の奥側端部がピン２４により回動自在に結合されている。ウイペン２３の自由端である手前側端部には、ジャック大２５ａとジャック小２５ｂとからなる略Ｌ字状のジャック２５が、その屈曲部近傍部分において回動自在にピン結合されている。ウイペン２３において、長手方向の中央やや手前方寄りの部分が、鍵１から上方に延びるキャプスタン２６に支持され、鍵１が押下されると、上方に突き上げられるようになっている。
【０００９】
ウイペン２３の中央部には上方に延びるレバーフレンジ２７が固定されており、このレバーフレンジ２７の上端部には、レペティションレバー２８の中間部が回動自在にピン結合されている。なお、レペティションレバー２８は、ウイペン２３およびレバーフレンジ２７に対してスプリングにより反時計回りの方向に付勢されているが、その付勢は、レペティションレバー２８の奥側端部に設けられたレペティションレバーボタンがウイペン２３に当接することによって制限されている。
一方、レペティションレバー２８の手前側端部には、その長手方向に沿って上下方向に貫通する長孔２８ａが形成されており、この長孔２８ａに、ジャック大２５ａの上端部が遊挿されている。
【００１０】
また、シャンクレール２２の上面には鍵１毎にシャンクフレンジ３０がネジ止めされている。このシャンクフレンジ３０の奥側には、押鍵時にレペティションレバー２８の回動を制限するためのレギュレーティングスクリュー３８が設けられている。
さらに、シャンクレール２２には、このシャンクレール２２に沿ってレギュレーティングレール３５が固定されている。このレギュレーティングレール３５の下面には、上下方向に位置調整可能とされたレギュレーティングボタン３６が設けられている。このレギュレーティングボタン３６の下端面には、ジャック小２５ｂの先端部が当接するクッション３６ａが取り付けられている。
一方、鍵１の奥側には、ハンマーヘッド３３に向かうバックチェック３７が取り付けられている。
【００１１】
ハンマー３１は、ハンマーシャンク３２と、当該ハンマーシャンク３２の一端側に固定されたハンマーヘッド３３とを含む。ハンマーシャンク３２の基端側、すなわちシャンクフレンジ３０への結合部分側の下面には、ハンマーローラー３４が装着されている。このハンマーローラー３４の下面は、ジャック大２５ａの上端面との間に僅かな隙間があいた状態で、レペティションレバー２８の上面に当接している。
【００１２】
次に、本実施形態におけるハンマー３１の詳細について図２および図３を参照して説明する。図２は、ハンマー３１を分解した状態の構成を示す斜視図であり、図３は、組み立てた後の状態の構成を示す斜視図である。
図２や、先の図１に示されるように、本実施形態におけるハンマー３１のうち、ハンマーヘッド３３は、ヘッド部３３１と基部３３２とダボ３３３との３ピースから構成される。このうち、ヘッド部３３１では、ウッド３３１ａの打弦側となる上方においてフェルト３３１ｂが外周される一方、ウッド３３１ａの下方では、円柱状のダボ３３３の一端が挿嵌される孔３３１ｃが形成されている。
【００１３】
基部３３２は、柱形状の取付部３３２ａと、当該取付部３３２ａの奥側端部から舌状に下方に延在するテール部３３２ｂとからなる略Ｌ字状の部材であり、ウォールナットやマホガニーなど、木製厚板を糸鋸等によって切り抜いたものが用いられる。このため、テール部３３２ｂにおいては、左右方向の厚さが均等である。
取付部３３２ａの手前側端面には孔３３２ｃが形成されて、ハンマーシャンク３２の先端が、柱方向に沿って（切り抜き前の厚板表面に沿って）挿嵌される。また、基部３３２の上端面の奥側には孔３３２ｄが形成されて、ダボ３３３の他端が挿嵌される。
このため、ヘッド部３３１は基部３３２を介してダボ３３３に取り付けられることになる。
【００１４】
グランドピアノでは、上側からみると図４に示されるように、ハンマーシャンク３２の長軸方向３２’と被打撃体である弦Ｓの張設方向とが所定の角度θで交差する。
ここで、図４において弦Ｓは、１鍵について１本のみ示されているが、通常、低音から高音にかけて１本から３本に段階的に増加するとともに、水平平行となるように張設される。ハンマー３１において、フェルト３３１ｂの厚さ方向が弦Ｓの張設方向に対して垂直でない状態で打弦すると、ハンマーシャンク３２の運動エネルギーを弦Ｓに効率良く伝達させることができないし、複数の弦を打撃する際に時間差が生じて発生楽音に悪影響を与えてしまう。このため、図３に示されるように、ヘッド部３３１を、弦Ｓの張設方向に合致するようにダボ３３３の軸Ｂを中心に回動しつつ挿嵌し、基部３３２に対して位置を決めて固定する。
【００１５】
この構成のハンマーアクション機構２０において、鍵１が押下にされると、当該鍵１は、バランスピン５の支点を中心にして図において時計回りに回動し、これにより、ウイペン２３が、キャプスタン２６により突き上げられ、ジャック２５およびレペティションレバー２８とともにピン２４を中心として反時計回りに回動する。この回動によってハンマーローラー３４がジャック大２５ａの上端部によって突き上げられ、ハンマーシャンク３２が軸Ａを中心に時計回りの方向に回動し、これにより、ハンマーヘッド３３が、押鍵された鍵１に対応する弦Ｓを打撃して、その鍵１に応じた楽音が発せられる。
【００１６】
押鍵時に、ウイペン２３およびレペティションレバー２８が反時計回りに回動する途中において、レペティションレバー２８の前側端部がレギュレーティングスクリュー３８に当接すると、レペティションレバー２８の回動が停止する一方、この回動停止とほぼ同時にウイペン２３のジャック小２５ｂの先端がレギュレーティングボタン３６のクッション３６ａに当接する。これにより、ジャック２５が時計回りに回動し始めて、ジャック大２５ａの上端部が図において右側に移動してハンマーローラー３４から脱進する。
なお、ハンマーヘッド３３は、弦Ｓを打撃すると、その反動と自重とにより下方に回動する。押下状態にある鍵１は時計回りに回動して、これにより、バックチェック３７が演奏者側に移動しているので、下方に回動したハンマーヘッド３３は、当該バックチェック３７によって咬持される。
【００１７】
一方、鍵１が離されると、すなわち、離鍵されると、鍵１がバランスピン５の支点を中心にして図において反時計回りに回動する。この回動に伴ってバックチェック３７がテール部３３２ｂを開放するとともに、ウイペン２３が自重によってピン２４を中心として時計回りに回動する。この回動により、ジャック小２５ｂがレギュレーティングボタン３６（クッション３６ａ）から徐々に離れて、ジャック２５が反時計回りに回動し、ジャック大２５ａが回転してハンマーローラー３４の真下へ移動して再び当接し、押鍵前の初期状態に戻る。
【００１８】
ここで、本実施形態におけるハンマーの有利性を説明する前に、比較のため従来のハンマーについて図５を参照して簡易的に説明する。
この図に示されるように、従来のハンマー３１は、ハンマーシャンク３２と、当該ハンマーシャンク３２の一端側に固定されたハンマーヘッド３３とを含む点において、実施形態と共通である。ただし、従来のハンマーウッド３３ｍでは、打撃側においてフェルト３３１ｂが外周される部分と、孔３３ｋにハンマーシャンク３２の先端である一端が挿嵌される部分と、打撃側とは反対方向の下方に舌状に延在するテール部３３ｎとが、一体とした構成である。
なお、このハンマーウッド３３ｍについても、木製厚板を切り抜いたものが用いられるので、加工前では、テール部３３ｎにおける左右方向の厚さが均等である。
【００１９】
上述したようにハンマーシャンク３２の長軸方向３２’と弦Ｓの張設方向とが所定の角度θで交差するので、ハンマーウッド３３ｍの孔３３ｋは、ハンマーシャンク３２の先端が挿嵌されたときにハンマーヘッド３３が弦の張設方向に合致するように形成される。
一方、ハンマーアクション機構においては、押鍵に伴って、ハンマーヘッド３３が回動して弦Ｓを打撃した後、下方に回動する一方、バックチェック３７は、テール部３３ｎを上側からみたときに、図６（ｂ）において押鍵時に矢印で示されるように演奏者側に移動して、打弦後に下方に回動したハンマーヘッド３３のテール部３３ｎを咬持する。
ここで、従来のハンマーでは、テール部３３ｎが、ハンマーシャンク３２の長軸方向３２’、すなわち、バックチェック３７の咬持方向に対して傾いた状態にある。このため、テール部３３ｎに対して、バックチェック３７の咬持面３７ａとの接触面積が広くなるように形状加工して、詳細には、外端面のうち、破線で示される部分を削り取る加工を施している。
【００２０】
しかしながら、このような形状加工されたテール部３３ｎでは、左右で肉厚が異なってしまうので、バックチェック３７によって咬持の際の衝撃によって割れや欠けなどの破損が生じやすい点は上述した通りである。
【００２１】
これに対して本実施形態では、ヘッド部３３１と、テール部３３２ｂを含む基部３３２とを別体とするとともに、基部３３２に対して、ハンマーシャンク３２の先端を長軸方向３２’に沿って挿嵌しているので、図６（ａ）に示されるように、バックチェック３７による咬持方向に対するテール部３３２ｂの肉厚が左右で揃えられる。実際には、製作後の調整などにより、テール部３３２ｂの形状をバックチェック３７に合わせて調整するときもあるが、いずれにしても、バックチェック３７による咬持方向に対してテール部３３２ｂの肉厚が揃うので、バックチェック３７によって咬持の際の衝撃によって割れや欠けなどの破損が生じくすることが可能となるのである。
さらに、ヘッド部３３１は、基部３３２に対し、ダボ３３３の軸Ｂを中心にして回動調整しつつ挿嵌されるので、フェルト３３１ｂの厚さ方向を弦Ｓの張設方向に対して垂直となるような関係で固定することが容易である。
【００２２】
なお、実施形態においては、ダボ３３３を円柱状としたが、角柱状に形成するとともに、孔３３１ｃ、３３２ｄを、当該角柱の断面形状に合わせ、かつ、角度θを考慮して予め形成しておけば、基部３３２に対してヘッド部３３１を回動調整することなく、弦Ｓの張設方向に合わせて正確に取り付けることができる。
【００２３】
また、実施形態にあっては、ヘッド部３３１のウッド３３１ａを、ダボ３３３を介して基部３３２に取り付けた３ピース構成としたが、２ピース構成としても良い。詳細には例えば、ウッド３３１ａの下面側において、孔３３１ｃの代わりにダボ３３３に相当する突起を設けて、この突起を、基部３３２の孔３３２ｄに挿嵌しても良いし、基部３３２の上端面において、孔３３２ｄの代わりにダボ３３３に相当する突起を設けて、この突起を、ウッド３３１ａの下面側における孔３３１ｃに挿嵌しても良い。
【００２４】
さらに、上述した実施形態にあっては、アコースティックのグランドピアノを例にとって説明したが、本発明は、いわゆるサイレントピアノにも適用可能である。サイレントピアノに適用する場合には、弦Ｓの代わりに、減衰材などを被打撃部材としてハンマーヘッド３３が打撃する構成となる。
【図面の簡単な説明】
【００２５】
【図１】実施形態に係るハンマーアクション機構を含む鍵盤装置の構成を示す図である。
【図２】ハンマーアクション機構におけるハンマーの分解図である。
【図３】同ハンマーの構成を示す斜視図である。
【図４】ハンマーシャンクと弦の張設方向との関係を示す平面図である。
【図５】従来のハンマーの構成を示す図である。
【図６】テール部の断面構成を示す図である。
【符号の説明】
【００２６】
１…鍵、３１…ハンマー、３２…ハンマーシャンク、３３…ハンマーヘッド、３７…バックチェック、３３１…ヘッド部、３３２…基部、３３２ｂ…テール部、３３３…ダボ
【図１】
2010008467.tif 000003
【図２】
2010008467.tif 000004
【図３】
2010008467.tif 000005
【図４】
2010008467.tif 000006
【図５】
2010008467.tif 000007
【図６】
2010008467.tif 000008